(57)【要約】【課題】本発明は、ユーザによって指定された画像上の位置における色を表示する画像色表示装置、およびコンピュータをそのような画像色表示装置として動作させる画像色表示プログラムに関し、画面上に表示された画像上の位置における色や階調を容易に把握できる使い勝手の良い画像色表示装置、およびコンピュータをそのような画像色表示装置として動作させる画像色表示プログラムを提供することを目的とする。【解決手段】表示された画像上における複数の位置がユーザによって指定されると、指定された複数の位置を結ぶ線上の各位置の色を所定の色空間における座標のグラフで表示する。【選択図】        図６
2006030409.tif 000002
【特許請求の範囲】
【請求項１】
画像データに従って画像を表示する画像表示部と、
前記画像表示部に表示された画像上における複数の位置を操作に応じて指定する位置指定部と、
前記位置指定部によって指定された複数の位置を結ぶ線上の各位置における前記画像の各色を所定の色空間における座標のグラフで表示する色グラフ表示部とを備えたことを特徴とする画像色表示装置。
【請求項２】
前記画像データが、画像データと画像とを媒介する所定のデバイスに依存したデバイス色空間の座標で画像の色を表現したものであって、
前記色グラフ表示部が、前記デバイス色空間における座標のグラフで画像の色を表示するものであることを特徴とする請求項１記載の画像色表示装置。
【請求項３】
前記色グラフ表示部が、画像データと画像とを媒介する所定のデバイスによって、前記画像表示部で用いられた画像データが媒介される場合に再現される画像の色を、デバイスに非依存の非依存色空間における座標のグラフで表示するものであることを特徴とする請求項１記載の画像色表示装置。
【請求項４】
前記色グラフ表示部が、画像データと画像とを媒介する所定のデバイスによって再現可能な色範囲も前記グラフに表示するものであることを特徴とする請求項１記載の画像色表示装置。
【請求項５】
前記画像表示部が、複数の画像を並べて表示するものであり、
前記位置指定部が、前記画像表示部に表示された複数の画像のうちの第１の画像上における複数の位置を操作に応じて指定するものであり、
前記色グラフ表示部が、前記位置指定部によって指定された複数の位置を結ぶ線上の各位置における前記第１の画像の各色を、前記所定の色空間における座標のグラフで表示すると共に、前記複数の画像のうち第２の画像における、前記線上に相応する線上の各位置における各色も、該グラフに表示するものであることを特徴とする請求項１記載の画像色表示装置。
【請求項６】
前記画像表示部が、前記第２の画像として、前記第１の画像に対して所定の色変換が施されてなる画像を表示するものであることを特徴とする請求項５記載の画像色表示装置。
【請求項７】
前記第１の画像における各色と、前記第２の画像における各色との対応を図示する対応図示部を備えたことを特徴とする請求項５記載の画像色表示装置。
【請求項８】
画像データと画像とを媒介する所定のデバイスに依存したデバイス色空間における複数の座標点それぞれが表す色を有する複数のカラーパッチを表示するカラーパッチ表示部と、
前記カラーパッチ表示部に表示された複数のカラーパッチのうちから複数のカラーパッチを操作に応じて指定するカラーパッチ指定部と、
前記カラーパッチ指定部によって指定された複数のカラーパッチそれぞれの色を表した前記デバイス色空間における複数の座標点を結ぶ線上の各座標点が表す色を所定の色空間における座標のグラフで表示する色グラフ表示部とを備えたことを特徴とする画像色表示装置。
【請求項９】
前記色グラフ表示部が、前記デバイス色空間における座標のグラフで画像の色を表示するものであることを特徴とする請求項８記載の画像色表示装置。
【請求項１０】
前記色グラフ表示部が、前記線上の各座標点が表す色を前記デバイスが再現するときの色を、デバイスに非依存の非依存色空間における座標のグラフで表示するものであることを特徴とする請求項８記載の画像色表示装置。
【請求項１１】
前記色グラフ表示部が、前記所定のデバイスによって再現可能な色範囲も前記グラフに表示するものであることを特徴とする請求項８記載の画像色表示装置。
【請求項１２】
前記色グラフ表示部が、前記カラーパッチ指定部によって指定された複数のカラーパッチそれぞれの色を表した前記デバイス色空間における複数の座標点を結ぶ線上の各座標点が表す色を、前記所定の色空間における座標のグラフで表示すると共に、それらの各座標点が表す色に所定の色変換が施されてなる色も該グラフに表示するものであることを特徴とする請求項８記載の画像色表示装置。
【請求項１３】
前記各座標点が表す色と、その色に前記所定の色変換が施されてなる色との対応を図示する対応図示部を備えたことを特徴とする請求項１２記載の画像色表示装置。
【請求項１４】
画像データに従って画像を表示する画像表示部と、
前記画像表示部に表示された画像上における複数の位置を操作に応じて指定する位置指定部と、
前記位置指定部によって指定された複数の位置を結ぶ線上の各位置における前記画像の各色を所定の色空間における座標のグラフで表示する色グラフ表示部とを有することを特徴とする画像色表示プログラム。
【請求項１５】
画像データと画像とを媒介する所定のデバイスに依存したデバイス色空間における複数の座標点それぞれが表す色を有する複数のカラーパッチを表示するカラーパッチ表示部と、
前記カラーパッチ表示部に表示された複数のカラーパッチのうちから複数のカラーパッチを操作に応じて指定するカラーパッチ指定部と、
前記カラーパッチ指定部によって指定された複数のカラーパッチそれぞれの色を表した前記デバイス色空間における複数の座標点を結ぶ線上の各座標点が表す色を所定の色空間における座標のグラフで表示する色グラフ表示部とを有することを特徴とする画像色表示プログラム。
【発明の詳細な説明】
【技術分野】
【０００１】
本発明は、ユーザによって指定された画像上の位置における色を表示する画像色表示装置、およびコンピュータをそのような画像色表示装置として動作させる画像色表示プログラムに関する。
【背景技術】
【０００２】
従来より、例えばカラースキャナや電子スチールカメラ等といった入力デバイスで画像（以下、この画像を原稿画像と称する）を取り込んで画像データを得、その画像データに基づいて今度は印刷機やプリンタやディスプレイ画面等といった出力デバイスでその原稿画像が再現された再現画像を得ることが行われている。この場合、入力デバイスに応じた、原稿画像上の色と画像データにおける色表現とを対応付ける色変換定義（入力プロフィル）と、出力デバイスに応じた、画像データにおける色表現と再現画像上の色とを対応付ける色変換定義（出力プロファイル）とを求め、入力デバイスで原稿画像から得られた画像データを、それら双方の色変換定義に基づいて出力デバイスに適合した画像データに変換し、その出力デバイス用の画像データに基づいて再現画像を出力する。こうすることにより、もともとの原稿画像と色彩的に極力同一に似せた再現画像を得ることができる。
【０００３】
また、これと同様のことは、出力デバイスどうしの間でも成立する。例えば、印刷機を用いたカラー画像の印刷を行うにあたっては、印刷を行う前に、カラープリンタ等を用いて、その印刷機で印刷される画像の色と極力同じ色に似せたプルーフ画像を作成することが行われている。プリンタでプルーフ画像を作成するにあたっては、印刷を行おうとしている印刷機に対応した、例えばＣ（Ｃｙａｎ：シアン）、Ｍ（Ｍａｇｅｎｔａ：マゼンタ）、Ｙ（Ｙｅｌｌｏｗ：イエロー）、Ｋ（Ｂｌａｃｋ：黒）の各網％を表す印刷用の画像データと、その印刷用の画像データに基づいて出力される実際の印刷物の色を表す測色値との対応を定義した色変換定義（印刷プロファイル）と、プルーフ画像を出力しようとしているプリンタに対応した、例えばＣＭＹＫの各網％を表すプリンタ用の画像データと、そのプリンタ用の画像データに基づいて実際にプリント出力されるプルーフ画像の色を表す測色値との対応を定義した色変換定義（プリンタプロファイル）とを知り、これらの印刷プロファイルとプリンタプロファイルとに基づいて印刷用の画像データをプリンタ用の画像データに変換し、この変換されたプリンタ用の画像データに基づいてプルーフ画像を作成する。こうすることにより、実際の印刷物と色彩的に極力同一に似せたプルーフ画像を作成することができる。
【０００４】
上記のようにして色を一致させた画像を得るためには、カラースキャナや電子スチールカメラなどといった入力デバイスの色変換定義（入力プロファイル）や、印刷機やプリンタなどといった出力デバイスの色変換定義（出力プロファイル）を正確に求める必要がある。
【０００５】
この入力プロファイルや出力プロファイルといった色変換定義を求めるにあたっては、例えば入力デバイスの場合は、カラーパッチが配列されたカラーチャートをその入力デバイスで読み取って画像データに変換し、例えばＣ、Ｍ、Ｙ、Ｋの４色からなるＣＭＹＫ色空間、あるいはＲ（Ｒｅｄ：赤）、Ｇ（Ｇｒｅｅｎ：緑）、Ｂ（Ｂｌｕｅ：青）の３色からなるＲＧＢ色空間などといった画像データ上の色空間（以下、このような色空間をデバイス依存色空間と称する）の座標値（ＣＭＹＫ値あるいはＲＧＢ値などといったデバイス値）を求めるとともに、その同じカラーチャートを構成する各カラーパッチを分光測色計で測色して、例えばＬ*ａ*ｂ*色空間あるいはＸＹＺ色空間などといった測色色空間（以下、このような色空間をデバイス非依存色空間と称する）の座標値（Ｌ*ａ*ｂ*値あるいはＸＹＺ値などといった測色値）を求め、それらデバイス依存色空間の複数のデバイス値とデバイス非依存色空間の複数の測色値とを１対１に対応付けることによって入力プロファイルを求めることができる。
【０００６】
また、出力デバイスの場合は、例えばＣＭＹＫの４色それぞれについて網％を０％，１０％，……，１００％のように順次変化させた複数種類の網点面積率それぞれに対応するカラーパッチが配列されたカラーチャートに相当する画像データを作成し、その画像データに基づいて出力デバイスでカラーチャートを出力し、その出力されたカラーチャートを構成する各カラーパッチを分光測色計で測色し、そのようにして得られたデバイス依存色空間の複数のデバイス値とデバイス非依存色空間の複数の測色値とを１対１に対応付けることによって出力プロファイルを求めることができる。
【０００７】
ところが、上述したようにして入力プロファイルや出力プロファイルといった色変換定義を正確に求め、その色変換定義に基づいて画像データを変換しても、分光測色計による測定誤差や、その色変換定義を作成しようとしている対象のデバイスにおける出力色の位置依存性などといったデバイスの特性に起因したカラーパッチの色誤差や、実用的なカラーマッチング精度を高めるために肌色に代表される特定の重要色のカラーパッチをカラーチャートを構成するカラーパッチとして追加することによる色変動などといった様々な誤差や変動要因によって、原稿画像と再現画像との間、あるいは印刷物とプルーフ画像との間の色が微妙に食い違うという現象が生じるおそれがある。
【０００８】
また、上述した様々な誤差や変動要因によって、作成された色変換定義に歪みが生じ、デバイス依存色空間上での単調な座標変化に対応したＬ*ａ*ｂ*データやＸＹＺデータ等の変化の単調性を崩すノイズが含まれてしまう場合がある。作成された色変換定義にこのようなノイズが含まれると、この色変換定義を使って色変換が行なわれて得られる色変換後の画像データに基づいてデバイスで画像が出力されるときに、出力されるカラー画像上の、色の濃度が連続的に変化するグラデーションの部分において色の濃度の不連続変化（以下、このような色の濃度の不連続変化をトーンジャンプと称する）が生じてしまい、トーンジャンプが視覚上認識され、色彩的に低い画質を持ったカラー画像が出力されるおそれもある。
【０００９】
また、上述したように、高精度の色校正を作成するために調整された色変換定義は部分的に歪みが生じている他、一般に、デバイスによって再現可能な色範囲（以下、デバイスによって再現可能な色範囲をガマットと称する）はデバイスごとに異なるため、色変換定義に基づいて画像データが変換される際には、デバイスによって再現不可能な色範囲の色とガマット内の色とを対応付けるような色域変換（ガマットマッピング）も施されることによって色再現が実現されるものの、例えば、ターゲットとなる印刷機のガマットが、プリンタのガマットよりも大きい場合に、その色変換定義を使って色変換が施されると、大きいガマットは小さいガマットに合わせてつぶれてしまい、その結果、プリンタのガマットから外れた部分で階調が失われてしまう傾向にあり、このような要因によっても、出力されるカラー画像の画質の低下をもたらすおそれがある。
【００１０】
このような状況にある中で、例えばカラープリンタで出力された画像の色がカラースキャナで画像データを取り込んだときの原稿画像の色を正しく再現しているか否か、あるいはカラープリンタで出力された画像の色が印刷物上の画像の色を再現しているか否か等、上述したような、画像上の色に関する問題点の原因を、デバイス値や測色値を参照して調べるための装置として、第１の色空間のＣＭＹＫ値やＲＧＢ値などといった値が入力されると、選択されたプロファイルに基づいてその値を第２の色空間の値に変換して、変換前後の双方の値を同一画面上に数値表示する色空間値表示装置が開示されている（例えば、特許文献１参照。）。
【００１１】
また、画像表示画面上に表示された画像上の、ユーザによって指定される所望の位置にカーソルが置かれることによってその位置の色を表す測色値を数値表示することができる画像処理ソフトウェアや、画像をデバイスで再現しようとするときに、画像の中の、そのデバイスでは色再現が不可能な領域を画像上に表示することができる画像処理ソフトウェアや、所定の色変換定義に基づく色変換前の画像と色変換後の画像とを並べて画面上に表示させ、双方の画像上の対応する点それぞれの測色値を数値表示することによって色変換前後の色がどの程度相違しているのかを把握することができる画像処理ソフトウェアなどといった、画像上の色を調べるためのツールが市販されている。
【特許文献１】特開２００２−１２５１３１号公報
【発明の開示】
【発明が解決しようとする課題】
【００１２】
ところが、上述した特許文献１に開示された色空間値表示装置で画像上の色を調べるためには、この色空間値表示装置とは別のツールを使ってその画像上の色を表すＣＭＹＫ値やＲＧＢ値などといった値を事前に調べ、調べた値を入力するといった手間が掛かる上、表示された数値を解釈しなければならないため、ユーザにとって使い勝手が悪い。
【００１３】
また、再現画像における色再現と同様に問題とされる、上述したトーンジャンプや階調の欠失などといった問題点の原因を調べるためには、再現画像における色目そのものよりも階調の再現性を把握することが要求される。ところが、上述した特許文献１に開示された色空間値表示装置や市販の画像処理ソフトウェアで階調の再現性を把握するにも、階調の再現性を調べたい、画像上の領域の色を表す値を解釈しなければならないため、非常に使い勝手が悪い。
【００１４】
このように、画像上の色や階調を把握・確認したり、原稿画像と再現画像、あるいは印刷物とプルーフ画像などといった、２種類のデバイスが介在することによって得られる２つの画像上の色や階調がどの程度相違しているかを把握・確認することのできるツールとして使い勝手の良いものは見当らないのが現状である。
【００１５】
本発明は上記問題点を解決し、画面上に表示された画像上の位置における色や階調を容易に把握できる使い勝手の良い画像色表示装置、およびコンピュータをそのような画像色表示装置として動作させる画像色表示プログラムを提供することを目的とするものである。
【課題を解決するための手段】
【００１６】
上記目的を達成する本発明の画像色表示装置のうちの第１の画像色表示装置は、
画像データに従って画像を表示する画像表示部と、
上記画像表示部に表示された画像上における複数の位置を操作に応じて指定する位置指定部と、
上記位置指定部によって指定された複数の位置を結ぶ線上の各位置における上記画像の各色を所定の色空間における座標のグラフで表示する色グラフ表示部とを備えたことを特徴とする。
【００１７】
本発明の画像色表示装置のうちの第１の画像色表示装置は、表示された画像上における複数の位置がユーザによって指定されると、指定された複数の位置を結ぶ線上の各位置の色を所定の色空間における座標のグラフで表示するものであるため、例えば画像上の２点を結ぶ直線や、画像上の３点を結ぶ２次曲線などといった線上における色や階調を視覚的に捉えることができ、色や階調の把握が容易である。また、この第１の画像色表示装置は、例えば階調の再現性を把握しようとするときに、上述した従来の装置のように画像上の複数の点を１つずつ調べるといった煩雑な操作が不要なため、ユーザにとって使い勝手が良く、色や階調の再現性の評価に好適なものである。
【００１８】
ここで、上記本発明の画像色表示装置のうちの第１の画像色表示装置は、
「上記画像データが、画像データと画像とを媒介する所定のデバイスに依存したデバイス色空間の座標で画像の色を表現したものであって、
上記色グラフ表示部が、上記デバイス色空間における座標のグラフで画像の色を表示するものである」
ことが好ましい。
【００１９】
このように、例えばＣＭＹＫ色空間あるいはＲＧＢ色空間などといったデバイス色空間における座標のグラフで画像の色を表示することにより、ＣＭＹＫ値あるいはＲＧＢ値などといったデバイス値で色や階調の再現性を視覚的に把握することができるため、ユーザにとって感覚的な色方向が捉えやすいといった利点がある。
【００２０】
また、上記本発明の画像色表示装置のうちの第１の画像色表示装置は、上記色グラフ表示部が、画像データと画像とを媒介する所定のデバイスによって、上記画像表示部で用いられた画像データが媒介される場合に再現される画像の色を、デバイスに非依存の非依存色空間における座標のグラフで表示するものであることも好ましい形態である。
【００２１】
このように、例えばＬ*ａ*ｂ*色空間あるいはＸＹＺ色空間などといった非依存色空間における座標のグラフで、画像が出力されると想定されているデバイス上での再現色を表示することにより、Ｌ*ａ*ｂ*値あるいはＸＹＺ値などといった測色値で色や階調の再現性を視覚的に把握することができるため、デバイスに依存しない客観的な色表現として、色の差やずれ方向を客観的に捉えることができる。
【００２２】
また、上記本発明の画像色表示装置のうちの第１の画像色表示装置は、上記色グラフ表示部が、画像データと画像とを媒介する所定のデバイスによって再現可能な色範囲も上記グラフに表示するものであることがさらに好ましい。
【００２３】
このように、画像が出力されると想定されているデバイスによって再現可能な色範囲（ガマット）もグラフに表示されることにより、ユーザは、グラフに表示された画像の色がそのガマットの周縁部か否かなどといったことを把握することができるため、例えば背景技術の欄で説明した階調の欠失などといった問題点の原因を検証するのに有効である。
【００２４】
さらに、上記本発明の画像色表示装置のうちの第１の画像色表示装置は、
「上記画像表示部が、複数の画像を並べて表示するものであり、
上記位置指定部が、上記画像表示部に表示された複数の画像のうちの第１の画像上における複数の位置を操作に応じて指定するものであり、
上記色グラフ表示部が、上記位置指定部によって指定された複数の位置を結ぶ線上の各位置における上記第１の画像の各色を、上記所定の色空間における座標のグラフで表示すると共に、上記複数の画像のうち第２の画像における、上記線上に相応する線上の各位置における各色も、そのグラフに表示するものである」
という形態も好ましい。
【００２５】
このように、表示された複数の画像のうちの第１の画像上における指定された複数の位置を結ぶ線上に相応する、第２の画像における線上の各位置における各色も同一グラフで表示されることにより、複数の画像上の相応する領域の色や階調を対応付けて視覚的に把握することができる。
【００２６】
ここで、上記本発明の画像色表示装置のうちの、複数の画像を並べて表示する画像表示部を備えた第１の画像色表示装置において、上記画像表示部が、上記第２の画像として、上記第１の画像に対して所定の色変換が施されてなる画像を表示するものであることが好ましい。
【００２７】
ここで、所定の色変換とは、画像の色や階調の再現性などが求められているプルーフシステムなどといった色変換装置における色変換をシミュレートしたものであってもよいが、そのような色変換装置そのもので実行される色変換であることの方が望ましい。
【００２８】
このように、色変換前の画像と色変換後の画像とが表示されることにより、双方の画像上の相応する領域における色変換処理が施されることによる色や階調の変化を対応付けて視覚的に把握することができる。
【００２９】
また、上記本発明の画像色表示装置のうちの、複数の画像を並べて表示する画像表示部を備えた第１の画像色表示装置は、上記第１の画像における各色と、上記第２の画像における各色との対応を図示する対応図示部を備えたものであることも好ましい形態である。
【００３０】
このような対応図示部を備えた、第１の画像色表示装置によれば、色の対応を視覚的に、かつより一層詳細に把握することができる。
【００３１】
また、上記目的を達成する本発明の画像色表示装置のうちの第２の画像色表示装置は、
画像データと画像とを媒介する所定のデバイスに依存したデバイス色空間における複数の座標点それぞれが表す色を有する複数のカラーパッチを表示するカラーパッチ表示部と、
上記カラーパッチ表示部に表示された複数のカラーパッチのうちから複数のカラーパッチを操作に応じて指定するカラーパッチ指定部と、
上記カラーパッチ指定部によって指定された複数のカラーパッチそれぞれの色を表した上記デバイス色空間における複数の座標点を結ぶ線上の各座標点が表す色を所定の色空間における座標のグラフで表示する色グラフ表示部とを備えたことを特徴とする。
【００３２】
本発明の画像色表示装置のうちの第２の画像色表示装置は、表示された複数のカラーパッチのうちから複数のカラーパッチがユーザによって指定されると、指定された複数のカラーパッチそれぞれの色を表した上記デバイス色空間における複数の座標点を結ぶ線上の各座標点が表す色を所定の色空間における座標のグラフで表示するものであるため、上記線上における色や階調を視覚的に捉えることができ、色や階調の把握が容易である。従って、ユーザにとって使い勝手が良く、色や階調の再現性の評価に好適な装置が実現される。
【００３３】
ここで、上記本発明の画像色表示装置のうちの第２の画像色表示装置は、上記色グラフ表示部が、上記デバイス色空間における座標のグラフで画像の色を表示するものであることが好ましい。
【００３４】
このように、例えばＣＭＹＫ色空間あるいはＲＧＢ色空間などといったデバイス色空間における座標のグラフで画像の色を表示することにより、ＣＭＹＫ値あるいはＲＧＢ値などといったデバイス値で色や階調の再現性を視覚的に把握することができるため、ユーザにとって感覚的な色方向が捉えやすいといった利点がある。
【００３５】
また、上記本発明の画像色表示装置のうちの第２の画像色表示装置は、上記色グラフ表示部が、上記線上の各座標点が表す色を上記デバイスが再現するときの色を、デバイスに非依存の非依存色空間における座標のグラフで表示するものであることも好ましい形態である。
【００３６】
このように、例えばＬ*ａ*ｂ*色空間あるいはＸＹＺ色空間などといった非依存色空間における座標のグラフで、画像が出力されると想定されているデバイス上での再現色を表示することにより、Ｌ*ａ*ｂ*値あるいはＸＹＺ値などといった測色値で色や階調の再現性を視覚的に把握することができるため、デバイスに依存しない客観的な色表現として、色の差やずれ方向を客観的に捉えることができる。
【００３７】
また、上記本発明の画像色表示装置のうちの第２の画像色表示装置は、上記色グラフ表示部が、上記所定のデバイスによって再現可能な色範囲も上記グラフに表示するものであることがさらに好ましい。
【００３８】
このように、画像が出力されると想定されているデバイスによって再現可能な色範囲（ガマット）もグラフに表示されることにより、ユーザは、グラフに表示された画像の色がそのガマットの周縁部か否かなどといったことを把握することができるため、例えば背景技術の欄で説明した階調の欠失などといった問題点の原因を検証するのに有効である。
【００３９】
さらに、上記本発明の画像色表示装置のうちの第２の画像色表示装置は、上記色グラフ表示部が、上記カラーパッチ指定部によって指定された複数のカラーパッチそれぞれの色を表した上記デバイス色空間における複数の座標点を結ぶ線上の各座標点が表す色を、上記所定の色空間における座標のグラフで表示すると共に、それらの各座標点が表す色に所定の色変換が施されてなる色もそのグラフに表示するものであるという形態も好ましい。
【００４０】
このように、指定された複数のカラーパッチそれぞれの色を表した上記デバイス色空間における複数の座標点を結ぶ線上の各座標点が表す色に所定の色変換が施されてなる色も、上記所定の色空間における座標のグラフで表示されることにより、色変換処理が施されることによる色や階調の変化を対応付けて視覚的に把握することができる。
【００４１】
ここで、上記本発明の画像色表示装置のうちの、上記各座標点が表す色に所定の色変換が施されてなる色もグラフに表示する色グラフ表示部を備えた第２の画像色表示装置は、上記各座標点が表す色と、その色に上記所定の色変換が施されてなる色との対応を図示する対応図示部を備えたものであることが好ましい。
【００４２】
このような対応図示部を備えた、第２の画像色表示装置によれば、色の対応を視覚的に、かつより一層詳細に把握することができる。
【００４３】
また、上記目的を達成する本発明の画像色表示プログラムのうちの第１の画像色表示プログラムは、
画像データに従って画像を表示する画像表示部と、
上記画像表示部に表示された画像上における複数の位置を操作に応じて指定する位置指定部と、
上記位置指定部によって指定された複数の位置を結ぶ線上の各位置における上記画像の各色を所定の色空間における座標のグラフで表示する色グラフ表示部とを有することを特徴とする。
【００４４】
本発明の画像色表示プログラムのうちの第１の画像色表示プログラムは、この第１の画像色表示プログラムをコンピュータにインストールして動作させたときに、そのコンピュータが本発明の画像色表示装置のうちの第１の画像色表示装置として動作するように構成されたものであり、この第１の画像色表示プログラムには、その第１の画像色表示装置の各種態様に対応する全ての態様が含まれる。
【００４５】
さらに、上記目的を達成する本発明の画像色表示プログラムのうちの第２の画像色表示プログラムは、
画像データと画像とを媒介する所定のデバイスに依存したデバイス色空間における複数の座標点それぞれが表す色を有する複数のカラーパッチを表示するカラーパッチ表示部と、
上記カラーパッチ表示部に表示された複数のカラーパッチのうちから複数のカラーパッチを操作に応じて指定するカラーパッチ指定部と、
上記カラーパッチ指定部によって指定された複数のカラーパッチそれぞれの色を表した上記デバイス色空間における複数の座標点を結ぶ線上の各座標点が表す色を所定の色空間における座標のグラフで表示する色グラフ表示部とを有することを特徴とする。
【００４６】
本発明の画像色表示プログラムのうちの第２の画像色表示プログラムは、この第２の画像色表示プログラムをコンピュータにインストールして動作させたときに、そのコンピュータが本発明の画像色表示装置のうちの第２の画像色表示装置として動作するように構成されたものであり、この第２の画像色表示プログラムには、その第２の画像色表示装置の各種態様に対応する全ての態様が含まれる。
【００４７】
また、本発明の画像色表示プログラムを構成する色グラフ表示部などといった構成要素は、１つの構成要素の機能が１つのプログラム部品によって担われるものであってもよく、１つの構成要素の機能が複数のプログラム部品によって担われるものであってもよく、複数の構成要素の機能が１つのプログラム部品によって担われるものであってもよい。また、これらの構成要素は、そのような作用を自分自身で実行するものであってもよく、あるいは、コンピュータに組み込まれている他のプログラムやプログラム部品に指示を与えて実行させるものであっても良い。
【００４８】
なお、本発明の画像色表示装置と画像色表示プログラムとで、それぞれ構成要素に同じ名前を付したが、それらの構成要素は、画像色表示装置ではハードウェアおよびソフトウェアを意味し、画像色表示プログラムではソフトウェアのみを意味する。
【発明の効果】
【００４９】
本発明によれば、画面上に表示された画像上の位置における色や階調を容易に把握できる使い勝手の良い画像色表示装置、およびコンピュータをそのような画像色表示装置として動作させる画像色表示プログラムが提供される。
【発明を実施するための最良の形態】
【００５０】
以下図面を参照して本発明の実施の形態を説明する。
【００５１】
図１は、本発明の一実施形態が適用された印刷およびプルーフ画像作成システムの全体構成図である。
【００５２】
カラースキャナ１０では、原稿画像１１が読み取られて、その読み取った原稿画像１１を表すＲ（Ｒｅｄ：赤）、Ｇ（Ｇｒｅｅｎ：緑）、およびＢ（Ｂｌｕｅ：青）からなる３色の色分解画像データが生成される。このＲＧＢ３色の画像データはワークステーション２０に入力される。このＲＧＢ３色の画像データは、このワークステーション２０の内部で、ＬＵＴ（Ｌｏｏｋ  Ｕｐ  Ｔａｂｌｅ）の形式を持つ色変換定義（プロファイル）が参照され、印刷機４０に適合したＣ（Ｃｙａｎ：シアン）、Ｍ（Ｍａｇｅｎｔａ：マゼンタ）、Ｙ（Ｙｅｌｌｏｗ：イエロー）、およびＫ（Ｂｌａｃｋ：黒）からなる４色の色分解画像データに色変換される。また、ワークステーション２０では、オペレータにより、色変換された画像データに基づく、電子的な集版が行われ、印刷用の画像を表す画像データが生成される。この印刷用の画像データは、印刷を行う場合は、フィルムプリンタ３０に入力され、フィルムプリンタ３０では、その入力された画像データに対応した、ＣＭＹＫ各版の印刷用フィルム原版が作成される。
【００５３】
この印刷用フィルム原版からは刷版が作成され、その作成された刷版が印刷機４０に装着される。この印刷機４０に装着された刷版にはインクが塗布され、その塗布されたインクが印刷用の用紙上に転移されてその用紙上に印刷画像４１が形成される。
【００５４】
このフィルムプリンタ３０によりフィルム原版を作成し、さらに刷版を作成して印刷機４０に装着し、その刷版にインクを塗布して用紙上に印刷を行う一連の作業は、大がかりな作業であり、コストもかかる。このため、実際の印刷作業を行う前に、プリンタ６０により、以下のようにしてプルーフ画像６１を作成し、印刷画像４１の仕上りの事前予測が行われる。
【００５５】
プルーフ画像を作成するにあたっては、ワークステーション２０上の電子集版により作成された画像データがパーソナルコンピュータ５０に入力される。ここで、このパーソナルコンピュータ５０に入力される画像データは、いわゆるＰＤＬ（Ｐａｇｅ  Ｄｅｓｃｒｉｐｔｉｏｎ  Ｌａｎｇｕａｇｅ）で記述された記述言語データであり、パーソナルコンピュータ５０では、いわゆるＲＩＰ（Ｒａｓｔｅｒ  Ｉｍａｇｅ  Ｐｒｏｃｅｓｓｏｒ）により、ビットマップに展開されたＣＭＹＫ４色の画像データに変換される。このＣＭＹＫ４色の画像データは、実質的には、フィルムプリンタ３０に入力される印刷用の画像データと同一である。
【００５６】
このＣＭＹＫ４色の印刷用の画像データは、このパーソナルコンピュータ５０の内部で、ＬＵＴ（Ｌｏｏｋ  Ｕｐ  Ｔａｂｌｅ）の形式を持つ色変換定義（プロファイル）が参照され、プリンタ６０に適合したＣＭＹＫ４色の画像データに変換される。プリンタ６０には、そのプリンタ用のＣＭＹＫ４色の画像データが入力され、プリンタ６０では、その入力されたプリンタ用のＣＭＹＫ４色の画像データに基づくプルーフ画像６１が作成される。
【００５７】
このようにしてプルーフ画像を作成してそのプルーフ画像を確認することにより、印刷の仕上りを事前に予測することができる。
【００５８】
また、この図１に示すパーソナルコンピュータ７０は、本発明にいう画像色表示装置の一例に相当するものであって、ワークステーション２０およびパーソナルコンピュータ５０と接続されて画像データやプロファイルの入出力が行われ、ユーザによって指定された画像上の位置における色を表示する。
【００５９】
ここで、この図１に示す印刷およびプルーフ画像作成システムにおける、本発明の一実施形態としての特徴は、パーソナルコンピュータ７０の内部で実行される処理内容に関連があり、以下、先ず、このパーソナルコンピュータ７０について説明する。
【００６０】
図２は、図１に１つのブロックで示すパーソナルコンピュータ７０の外観斜視図、図３は、そのパーソナルコンピュータ７０のハードウェア構成図である。
【００６１】
ここでは、このパーソナルコンピュータ７０のハードウェアおよびＯＳ（Ｏｐｅｒａｔｉｏｎ  Ｓｙｓｔｅｍ）と、このパーソナルコンピュータ７０にインストールされて実行される画像色表示プログラムとにより、本発明の画像色表示装置の一実施形態が構成されている。
【００６２】
このパーソナルコンピュータ７０は、外観構成上、本体装置７１、その本体装置７１からの指示に応じて表示画面７２ａ上に画像を表示する画像表示装置７２、本体装置７１に、キー操作に応じた各種の情報を入力するキーボード７３、および、表示画面７２ａ上の任意の位置を指定することにより、その指定時にその位置に表示されていた、例えばアイコン等に応じた指示を入力するマウス７４を備えている。この本体装置７１は、外観上、フレキシブルディスク（ＦＤ）を装填するためのＦＤ装填口７１ａ、およびＣＤ−ＲＯＭを装填するためのＣＤ−ＲＯＭ装填口７１ｂを有する。
【００６３】
本体装置７１の内部には、図３に示すように、各種プログラムを実行するＣＰＵ７１１、ハードディスク装置７１３に格納されたプログラムが読み出されＣＰＵ７１１での実行のために展開される主メモリ７１２、各種プログラムやデータ等が保存されたハードディスク装置７１３、ＦＤ１００が装填されその装填されたＦＤ１００をアクセスするＦＤドライブ７１４、ＣＤ−ＲＯＭ１１０が装填され、その装填されたＣＤ−ＲＯＭ１１０をアクセスするＣＤ−ＲＯＭドライブ７１５、および図１，図２に示すパーソナルコンピュータ５０およびワークステーション２０と接続され、パーソナルコンピュータ５０およびワークステーション２０との通信を制御するＩ／Ｏインタフェース７１６が内蔵されており、これらの各種要素と、さらに図２にも示す画像表示装置７２、キーボード７３、マウス７４は、バス７５を介して相互に接続されている。
【００６４】
ここで、ＣＤ−ＲＯＭ１１０には、このパーソナルコンピュータ７０を第１および第２の画像色表示装置として動作させるための第１および第２の画像色表示プログラムが記憶されており、そのＣＤ−ＲＯＭ１１０はＣＤ−ＲＯＭドライブ７１５に装填され、そのＣＤ−ＲＯＭ１１０に記憶された第１および第２の画像色表示プログラムがこのパーソナルコンピュータ７０にアップロードされてハードディスク装置７１３に記憶される。
【００６５】
先ず、ＣＤ−ＲＯＭ１１０に記憶された第１の画像色表示プログラムがパーソナルコンピュータ７０にアップロードされてハードディスク装置７１３に記憶され、このパーソナルコンピュータ７０が第１の画像色表示装置として動作する実施形態を説明する。
【００６６】
図４は、本発明の画像色表示プログラムのうちの第１の画像色表示プログラムの一実施形態を示した図である。
【００６７】
この図４に示す第１の画像色表示プログラム２００は、図３に示すＣＤ−ＲＯＭ１１０に記憶されている。
【００６８】
この第１の画像色表示プログラム２００は、図１，図２，図３に示すパーソナルコンピュータ７０内で実行され、そのパーソナルコンピュータ７０を、ユーザによって指定された画像上の位置における色を表示する、本発明の画像色表示装置のうちの第１の画像色表示装置の一実施形態として動作させるものである。この第１の画像色表示プログラム２００は、画像表示部２０１と、位置指定部２０２と、色グラフ表示部２０３と、対応図示部２０４とから構成されている。
【００６９】
この第１の画像色表示プログラム２００の各要素の作用については後述する。
【００７０】
図５は、本発明の画像色表示装置のうちの第１の画像色表示装置の一実施形態を示す機能ブロック図である。
【００７１】
この図５に示す第１の画像色表示装置３００は、図１，図２，図３に示すパーソナルコンピュータ７０に、図４に示す第１の画像色表示プログラム２００がローディングされ、その第１の画像色表示プログラム２００がそのパーソナルコンピュータ７０内で実行されることにより実現される。
【００７２】
この図５に示す第１の画像色表示装置３００は、ユーザによって指定された画像上の位置における色を表示するものであって、この第１の画像色表示装置３００には、画像表示部３０１と、位置指定部３０２と、色グラフ表示部３０３と、対応図示部３０４とが備えられている。
【００７３】
この第１の画像色表示装置３００に備えられている画像表示部３０１、位置指定部３０２、色グラフ表示部３０３、および対応図示部３０４の各要素は、それぞれ、図４に示す第１の画像色表示プログラム２００を構成するソフトウェア部品としての画像表示部２０１、位置指定部２０２、色グラフ表示部２０３、および対応図示部２０４の各要素と、それらのソフトウェア部品の各機能を実現するために必要な、図１，図２，図３に示すパーソナルコンピュータ７０のハードウェアとＯＳ（Ｏｐｅｒａｔｉｏｎ  Ｓｙｓｔｅｍ）やアプリケーションプログラムとの組み合わせから構成されている。
【００７４】
以下、図５に示す第１の画像色表示装置３００の各要素を説明することによって、図４に示す第１の画像色表示プログラム２００の各要素も合わせて説明する。
【００７５】
なお、ここでは、この第１の画像色表示装置３００の各要素の概念的な作用について説明し、これら各要素の具体的な作用については後述する。
【００７６】
図５に示す第１の画像色表示装置３００の画像表示部３０１は、アプリケーションソフトウェア上は、図４に示す第１の画像色表示プログラム２００の画像表示部２０１に対応する要素であり、画像データに従って１つの画像を表示し、あるいは画像の色や階調の再現性などが求められている、図１に示す印刷およびプルーフ画像作成システムの色変換装置として機能するワークステーション２０あるいはパーソナルコンピュータ５０で実行される色変換前後の２つの画像を並べて表示するものである。この画像表示部３０１は、本発明にいう画像表示部の機能の一例を示すものであり、その機能は、図１，図２，図３に示すパーソナルコンピュータ７０の本体装置７１に内蔵された、プログラム部品としての画像表示部２０１（図４参照）を実行するＣＰＵ７１１によって主に実現される。
【００７７】
尚、以下説明する、第１の画像色表示装置３００の各要素においても、各要素の機能は、図１，図２，図３に示すパーソナルコンピュータ７０の本体装置７１に内蔵されたＣＰＵ７１１によって主に実現されるので、重複説明を避けるため、これら各要素のハードウェア上の説明は省略する。
【００７８】
また、位置指定部３０２は、アプリケーションソフトウェア上は、図４に示す第１の画像色表示プログラム２００の位置指定部２０２に対応する要素であり、画像表示部３０１に１つの画像が表示された場合には、その表示された画像上における複数の位置を操作に応じて指定するものである。また、この位置指定部３０２は、画像表示部３０１に上記色変換前後の２つの画像が並べて表示された場合には、それら２つの画像のうちの、本発明にいう第１の画像の一例に相当する色変換前の画像上における複数の位置を操作に応じて指定するものである。この位置指定部３０２は、本発明にいう位置指定部の機能の一例を示すものである。
【００７９】
また、色グラフ表示部３０３は、アプリケーションソフトウェア上は、図４に示す第１の画像色表示プログラム２００の色グラフ表示部２０３に対応する要素であり、画像表示部３０１に１つの画像が表示された場合には、位置指定部３０２によって指定された複数の位置を結ぶ線上の各位置における、画像表示部３０１に表示された画像の各色を所定の色空間における座標のグラフで表示するものである。また、この色グラフ表示部３０３は、画像表示部３０１に上記色変換前後の２つの画像が並べて表示された場合には、位置指定部３０２によって指定された複数の位置を結ぶ線上の各位置における上記第１の画像の各色を所定の色空間における座標のグラフで表示すると共に、画像表示部３０１に並べて表示された２つの画像のうち、本発明にいう第２の画像の一例に相当する色変換後の画像における、位置指定部３０２によって指定された複数の位置を結ぶ線上に相応する線上の各位置における各色も、そのグラフに表示するものである。さらに、この色グラフ表示部３０３は、画像データと画像とを媒介する所定のデバイスによって再現可能な色範囲（ガマット）も上記グラフに表示するものである。この色グラフ表示部３０３は、本発明にいう色グラフ表示部の機能の一例を示すものである。
【００８０】
さらに、対応図示部３０４は、アプリケーションソフトウェア上は、図４に示す第１の画像色表示プログラム２００の対応図示部２０４に対応する要素であり、画像表示部３０１に上記色変換前後の２つの画像が並べて表示された場合に、色変換前の画像における各色と、色変換後の画像における各色との対応を図示するものである。この対応図示部３０４は、本発明にいう対応図示部の機能の一例を示すものである。
【００８１】
以下、本発明の画像色表示装置のうちの第１の画像色表示装置の実施形態をさらに具体的に説明する。
【００８２】
尚、以下の、第１の画像色表示装置の実施形態の具体的な説明において、図１，図２，図３に示すパーソナルコンピュータ７０には、色や階調の再現性を調べようとしている画像に対応する画像ファイルや、後述する各種プロファイルおよび各種レンダリングインテントが、このパーソナルコンピュータ７０に接続されたパーソナルコンピュータ５０あるいはワークステーション２０から事前に取り込まれて保存されているものとする。
【００８３】
図６は、図１，図２，図３に示すパーソナルコンピュータ７０の画像表示装置７２の表示画面７２ａ上に表示される第１の画像色表示ウィンドウを示す図である。
【００８４】
図１，図２，図３に示すパーソナルコンピュータ７０のキーボード７３あるいはマウス７４により、図示しない、１つの画像における色や階調を調べるためのメニューを選択する操作を行うと、この図６に示す第１の画像色表示ウィンドウ４００がパーソナルコンピュータ７０の画像表示装置７２の表示画面７２ａ上に表示される。
【００８５】
この第１の画像色表示ウィンドウ４００の左下には、「プロファイル」ドロップダウンリストボックス４０１、「レンダリング」ドロップダウンリストボックス４０２、および「画像」ドロップダウンリストボックス４０３が設けられている。
【００８６】
「プロファイル」ドロップダウンリストボックス４０１の右端の「▽印」に、マウス操作によりマウスポインタを合わせてクリックすると、図示しないプロファイルの一覧が表示される。ここで表示されるプロファイルの一覧は、図１，図２，図３に示すパーソナルコンピュータ７０に保存されているプロファイルの一覧であって、このプロファイルの一覧上で所望のプロファイルをクリックすることにより１つのプロファイルが選択される。この図６に示す例では、図１に示すカラースキャナ１０に着目し、このカラースキャナ１０の「ＳｔａｎｄａｒｄＲＧＢ１．ｉｃｃ」という入力プロファイルが選択されている。
【００８７】
「レンダリング」ドロップダウンリストボックス４０２の右端の「▽印」をクリックすると、図示しないレンダリングインテントの一覧が表示される。ここで表示されるレンダリングインテントの一覧は、図１，図２，図３に示すパーソナルコンピュータ７０に保存されているレンダリングインテントの一覧であって、このレンダリングインテントの一覧上で所望のレンダリングインテントをクリックすることにより１つのレンダリングインテントが選択される。この図６に示す例では、「Ｐｅｒｃｅｐｔｕａｌ」が選択されている。
【００８８】
「画像」ドロップダウンリストボックス４０３の右端の「▽印」をクリックすると、図示しない画像ファイルの一覧が表示される。ここで表示される画像ファイルの一覧は、図１，図２，図３に示すパーソナルコンピュータ７０に保存されている画像ファイルの一覧であって、この画像ファイルの一覧上で所望の画像ファイルをクリックすることにより１つの画像ファイルが選択される。この図６に示す例では、図１に示すカラースキャナ１０に着目し、このカラースキャナ１０により入力された「Ｍｕｓｉｃ１．ｊｐｇ」という画像ファイルが選択されている。
【００８９】
また、この第１の画像色表示ウィンドウ４００の左上には、画像表示欄４１０が設けられている。この画像表示欄４１０には、上述した「画像」ドロップダウンリストボックス４０３で選択された画像ファイルに対応する画像が、図５に示す画像表示部３０１によって表示される。また、この画像表示欄４１０に表示された画像上における複数の位置をクリックすると、クリックされた複数の位置が、図５に示す位置指定部３０２によって指定されると共に、指定された複数の位置を結ぶ線も指定される。この図６に示す例では、位置４１１，４１２がクリックされて指定されると共に、それらの位置４１１，４１２を結ぶ線４１３が指定されている。また、この画像表示欄４１０に表示された画像上における任意の位置をドラッグすることによってその画像の表示位置を任意の位置に移動することができる。
【００９０】
また、画像表示欄４１０の下には、画像表示欄４１０に表示された画像を拡大・縮小表示させるためのボタン４１４も設けられている。
【００９１】
また、この第１の画像色表示ウィンドウ４００の右上には、色グラフ表示欄４２０が設けられている。この色グラフ表示欄４２０には、上述した画像表示欄４１０において指定された２つの位置４１１，４１２を結ぶ線４１３上の各位置における、画像表示欄４１０に表示された画像の各色を表すグラフ４２１が、上述した「プロファイル」ドロップダウンリストボックス４０１で選択されたプロファイル、および「レンダリング」ドロップダウンリストボックス４０２で選択されたレンダリングインテントが参照されることによって、デバイスに非依存の、本発明にいう非依存色空間の一例に相当するＬ*ａ*ｂ*色空間における立体的なグラフで、図５に示す色グラフ表示部３０３によって表示される。また、この色グラフ表示欄４２０には、画像データと画像とを媒介する、本発明にいう所定のデバイスの一例に相当する図１に示すカラースキャナ１０によって再現可能な色範囲（ガマット）４２２も表示される。また、この色グラフ表示欄４２０に表示されたグラフ上における任意の位置をドラッグすることによってそのグラフおよび色範囲（ガマット）４２２を回転することができ、そのグラフおよび色範囲（ガマット）４２２を様々な角度から表示することができる。
【００９２】
このように、Ｌ*ａ*ｂ*色空間における立体的なグラフで、画像が出力されると想定されているデバイス上での再現色を表示することにより、Ｌ*ａ*ｂ*値で色や階調を視覚的に把握することができるため、デバイスに依存しない客観的な色表現として、色の差やずれ方向を客観的に捉えることができる。また、画像が出力されると想定されているデバイスによって再現可能な色範囲（ガマット）もグラフに表示されることにより、ユーザは、グラフに表示された画像の色がそのガマットの周縁部か否かなどといったことを把握することができるため、例えば背景技術の欄で説明した階調の欠失などといった問題点の原因を検証するのに有効である。
【００９３】
さらに、この第１の画像色表示ウィンドウ４００の右下には、色グラフ表示欄４３０が設けられている。この色グラフ表示欄４３０には、上述した画像表示欄４１０において指定された２つの位置４１１，４１２を結ぶ線４１３上の各位置における、画像表示欄４１０に表示された画像の各色が、画像データと画像とを媒介する、本発明にいう所定のデバイスの一例に相当する図１に示すカラースキャナ１０に依存した、本発明にいうデバイス色空間の一例に相当するＲＧＢ色空間における、「Ｒ」成分，「Ｇ」成分，「Ｂ」成分といった座標の成分が抜き出された平面的なグラフで、図５に示す色グラフ表示部３０３によって表示される。
【００９４】
このように、ＲＧＢ色空間における、座標の成分が抜き出された平面的なグラフで画像の色を表示することにより、ＲＧＢ値で色や階調を視覚的に把握することができるため、ユーザにとって感覚的な色方向が捉えやすいといった利点がある。
【００９５】
以上説明したように、１つの画像における色や階調を調べるための第１の画像色表示ウィンドウによれば、画像上の２点を結ぶ直線上における色や階調を視覚的に捉えることができ、色や階調の把握が容易である。また、この第１の画像色表示装置は、例えば階調を把握しようとするときに、上述した従来の装置のように画像上の複数の点を１つずつ調べるといった煩雑な操作が不要なため、ユーザにとって使い勝手が良く、色や階調の評価に好適なものである。
【００９６】
図７は、図１，図２，図３に示すパーソナルコンピュータ７０の画像表示装置７２の表示画面７２ａ上に表示される第２の画像色表示ウィンドウを示す図である。
【００９７】
図１，図２，図３に示すパーソナルコンピュータ７０のキーボード７３あるいはマウス７４により、図示しない、画像の色や階調の再現性などが求められている、図１に示す印刷およびプルーフ画像作成システムの色変換装置として機能するワークステーション２０で実行される色変換前後の２つの画像間における色や階調の再現性を調べるためのメニューを選択する操作を行うと、この図７に示す第２の画像色表示ウィンドウ５００がパーソナルコンピュータ７０の画像表示装置７２の表示画面７２ａ上に表示される。
【００９８】
この第２の画像色表示ウィンドウ５００の右下には、「入力プロファイル」ドロップダウンリストボックス５０１、「出力プロファイル」ドロップダウンリストボックス５０２、「レンダリング」ドロップダウンリストボックス５０３、「色変換前画像」ドロップダウンリストボックス５０４、および「色変換後画像」ドロップダウンリストボックス５０５が設けられている。
【００９９】
「入力プロファイル」ドロップダウンリストボックス５０１の右端の「▽印」をクリックすると、図示しない入力プロファイルの一覧が表示される。ここで表示される入力プロファイルの一覧は、図１，図２，図３に示すパーソナルコンピュータ７０に保存されている入力プロファイルの一覧であって、この入力プロファイルの一覧上で所望の入力プロファイルをクリックすることにより１つの入力プロファイルが選択される。この図７に示す例では、着目した色変換で用いられた「ＳｔａｎｄａｒｄＲＧＢ１．ｉｃｃ」という入力プロファイルが選択されている。
【０１００】
「出力プロファイル」ドロップダウンリストボックス５０２の右端の「▽印」をクリックすると、図示しない出力プロファイルの一覧が表示される。ここで表示される出力プロファイルの一覧は、図１，図２，図３に示すパーソナルコンピュータ７０に保存されている出力プロファイルの一覧であって、この出力プロファイルの一覧上で所望の出力プロファイルをクリックすることにより１つの出力プロファイルが選択される。この図７に示す例では、着目した色変換で用いられた「ＳｔａｎｄａｒｄＣＭＹＫ１．ｉｃｃ」という出力プロファイルが選択されている。
【０１０１】
「レンダリング」ドロップダウンリストボックス５０３の右端の「▽印」をクリックすると、図示しないレンダリングインテントの一覧が表示される。ここで表示されるレンダリングインテントの一覧は、図１，図２，図３に示すパーソナルコンピュータ７０に保存されているレンダリングインテントの一覧であって、このレンダリングインテントの一覧上で所望のレンダリングインテントをクリックすることにより１つのレンダリングインテントが選択される。この図７に示す例では、着目した色変換で用いられた「Ｐｅｒｃｅｐｔｕａｌ」というレンダリングインテントが選択されている。
【０１０２】
「色変換前画像」ドロップダウンリストボックス５０４の右端の「▽印」をクリックすると、図示しない色変換前画像ファイルの一覧が表示される。ここで表示される色変換前画像ファイルの一覧は、図１，図２，図３に示すパーソナルコンピュータ７０に保存されている色変換前画像ファイルの一覧であって、この色変換前画像ファイルの一覧上で所望の色変換前画像ファイルをクリックすることにより、本発明にいう第１の画像の一例に相当する１つの色変換前画像ファイルが選択される。この図７に示す例では、着目した色変換の対象となった「Ｍｕｓｉｃ１．ｊｐｇ」という色変換前画像ファイルが選択されている。
【０１０３】
「色変換後画像」ドロップダウンリストボックス５０５の右端の「▽印」をクリックすると、図示しない色変換後画像ファイルの一覧が表示される。ここで表示される色変換後画像ファイルの一覧は、図１，図２，図３に示すパーソナルコンピュータ７０に保存されている色変換後画像ファイルの一覧であって、この色変換後画像ファイルの一覧上で、上述した「色変換前画像」ドロップダウンリストボックス５０４で選択された色変換前画像に対して色変換処理が施された画像に対応する色変換後画像ファイルをクリックすることにより、本発明にいう第２の画像の一例に相当する１つの色変換後画像ファイルが選択される。この図７に示す例では、上記「Ｍｕｓｉｃ１．ｊｐｇ」が色変換された「Ｍｕｓｉｃ２．ｊｐｇ」という色変換後画像ファイルが選択されている。
【０１０４】
また、この第２の画像色表示ウィンドウ５００の左上には、色変換前画像表示欄５１０が設けられている。この色変換前画像表示欄５１０には、上述した「色変換前画像」ドロップダウンリストボックス５０４で選択された色変換前画像ファイルに対応する色変換前画像が、図５に示す画像表示部３０１によって表示される。また、この色変換前画像表示欄５１０に表示された色変換前画像上における複数の位置をクリックすると、クリックされた複数の位置が、図５に示す位置指定部３０２によって指定されると共に、指定された複数の位置を結ぶ線も指定される。この図７に示す例では、位置５１１，５１２がクリックされて指定されると共に、それらの位置５１１，５１２を結ぶ線５１３が指定されている。また、この色変換前画像表示欄５１０に表示された色変換前画像上における任意の位置をドラッグすることによってその色変換前画像の表示位置を任意の位置に移動することができる。
【０１０５】
また、色変換前画像表示欄５１０の右下には、色変換前画像表示欄５１０に表示された色変換前画像を拡大・縮小表示させるためのボタン５１４も設けられている。
【０１０６】
また、色変換前画像表示欄５１０の下には、色変換後画像表示欄５２０が設けられている。この色変換後画像表示欄５２０には、上述した「色変換後画像」ドロップダウンリストボックス５０５で選択された色変換後画像ファイルに対応する色変換後画像が、図５に示す画像表示部３０１によって表示される。また、上述した色変換前画像表示欄５１０に表示された色変換前画像において２つの位置５１１，５１２がクリックされたことを受けて、この色変換後画像表示欄５２０に表示された色変換後画像における、それら２つの位置５１１，５１２に相応する２つの位置５２１，５２２が、図５に示す位置指定部３０２によって指定されると共に、その指定された位置５２１，５２２を結ぶ線５２３も指定される。また、この色変換後画像表示欄５２０に表示された色変換後画像上における任意の位置をドラッグすることによってその色変換後画像の表示位置を任意の位置に移動することができる。
【０１０７】
また、色変換後画像表示欄５２０の右下には、色変換後画像表示欄５２０に表示された色変換後画像を拡大・縮小表示させるためのボタン５２４も設けられている。
【０１０８】
さらに、この色変換後画像表示欄５２０の下には、有効・無効の二状態をとる「連動表示」チェックボックス５０７が設けられている。この「連動表示」チェックボックス５０７において、マウス操作により、連動表示が有効に設定された場合は、色変換前画像表示欄５１０に表示された色変換前画像、あるいは色変換後画像表示欄５２０に表示された色変換後画像のいずれか一方の画像に対して、上述した位置移動処理や拡大・縮小表示処理が施されると、他方の画像に対しても同様の処理が連動して施される。また、この「連動表示」チェックボックス５０７において、連動表示が無効に設定された場合は、上述した連動処理が解除される。この図７に示す例では、連動表示が有効に設定されている。
【０１０９】
また、この第２の画像色表示ウィンドウ５００の右上には、色グラフ表示欄５３０が設けられている。この色グラフ表示欄５３０には、上述した色変換前画像表示欄５１０において指定された２つの位置５１１，５１２を結ぶ線５１３上の各位置における、色変換前画像表示欄５１０に表示された色変換前画像の各色を表すグラフ５３１が、上述した「入力プロファイル」ドロップダウンリストボックス５０１で選択された入力プロファイル、および「レンダリング」ドロップダウンリストボックス５０３で選択されたレンダリングインテントが参照されることによって、デバイスに非依存の、本発明にいう非依存色空間の一例に相当するＬ*ａ*ｂ*色空間における立体的なグラフで、図５に示す色グラフ表示部３０３によって表示される。また、この色グラフ表示欄５３０には、上述した色変換前画像表示欄５１０に表示された色変換前画像において２つの位置５１１，５１２がクリックされたことを受けて指定された、色変換後画像表示欄５２０に表示された色変換後画像における２つの位置５２１，５２２を結ぶ線５２３上の各位置における、色変換後画像表示欄５２０に表示された色変換後画像の各色を表すグラフ５３２も表示される。また、この色グラフ表示欄５３０には、画像データと画像とを媒介する、本発明にいう所定のデバイスの一例に相当する図１に示すフィルムプリンタ３０によって再現可能な色範囲（ガマット）５３３、および、本発明にいう所定のデバイスの一例に相当する図１に示すプリンタ６０によって再現可能な色範囲（ガマット）５３４も表示される。また、この色グラフ表示欄５３０に表示されたグラフ上における任意の位置をドラッグすることによってそのグラフおよび色範囲（ガマット）５３３，５３４を回転することができ、そのグラフおよび色範囲（ガマット）５３３，５３４を様々な角度から表示することができる。
【０１１０】
また、色グラフ表示欄５３０の下には、色グラフ表示欄５４０が設けられている。この色グラフ表示欄５４０には、上述した色変換前画像表示欄５１０において指定された２つの位置５１１，５１２を結ぶ線５１３上の各位置における、色変換前画像表示欄５１０に表示された色変換前画像の各色が、画像データと画像とを媒介する、本発明にいう所定のデバイスの一例に相当する図１に示すカラースキャナ１０に依存した、本発明にいうデバイス色空間の一例に相当するＲＧＢ色空間における、座標の成分が抜き出された平面的なグラフで、図５に示す色グラフ表示部３０３によって表示される。また、この色グラフ表示欄５４０には、上述した色変換前画像表示欄５１０に表示された色変換前画像において２つの位置５１１，５１２がクリックされたことを受けて指定された、色変換後画像表示欄５２０に表示された色変換後画像における２つの位置５２１，５２２を結ぶ線５２３上の各位置における、色変換後画像表示欄５２０に表示された色変換後画像の各色を表すグラフも表示される。また、この色グラフ表示欄５４０の右には、択一選択が可能なラジオボタン５４１が設けられている。このラジオボタン５４１において、マウス操作により、「すべて」，「Ｒ」，「Ｇ」，「Ｂ」のいずれかの座標の成分を選択する。この図７に示す例では、ラジオボタン５４１において「Ｒ」成分が選択されており、線５１３に対応するグラフ、および線５２３に対応するグラフが、ＲＧＢ色空間における「Ｒ」成分が抜き出された平面的なグラフで色グラフ表示欄５４０に示されている。
【０１１１】
さらに、この第２の画像色表示ウィンドウ５００の左下には、「対応図示」ボタン５０６が設けられている。この「対応図示」ボタン５０６をクリックすると、図５に示す対応図示部３０４によって、後述する対応図示ウィンドウ５５０（図８参照）が表示される。
【０１１２】
図８は、図１，図２，図３に示すパーソナルコンピュータ７０の画像表示装置７２の表示画面７２ａ上に表示される対応図示ウィンドウの一例を示す図である。
【０１１３】
この図８に示す対応図示ウィンドウ５５０は、図７に示す「対応図示」ボタン５０６をクリックすると表示される。
【０１１４】
この対応図示ウィンドウ５５０には、図７に示す第２の画像色表示ウィンドウ５００の右上に設けられた色グラフ表示欄５３０に重ねて表示された、上述した色範囲（ガマット）５３３，５３４が表示されると共に、色変換前画像における各色と、色変換後画像における各色との対応が、上述した「入力プロファイル」ドロップダウンリストボックス５０１で選択された入力プロファイル、「出力プロファイル」ドロップダウンリストボックス５０２で選択された出力プロファイル、および「レンダリング」ドロップダウンリストボックス５０３で選択されたレンダリングインテントが参照されることによって、デバイスに非依存のＬ*ａ*ｂ*色空間における立体的なグラフで図示される。この図８に示す例では、上述したグラフ５３１とグラフ５３２との対応が、対応関係を表す矢印５５１によって図示されている。
【０１１５】
このような対応図示ウィンドウによれば、色の対応を視覚的に、かつより一層詳細に把握することができる。
【０１１６】
以上説明したように、色変換前後の２つの画像間における色や階調の再現性を調べるための第２の画像色表示ウィンドウによれば、表示された２つの画像のうちの色変換前の画像上における指定された複数の位置を結ぶ線上に相応する、色変換後の画像における線上の各位置における各色も同一グラフで表示されるため、これら２つの画像上の相応する領域における色変換処理が施されることによる色や階調の変化を対応付けて視覚的に把握することができる。
【０１１７】
次に、図３に示すＣＤ−ＲＯＭ１１０に記憶された第２の画像色表示プログラムが図１，図２，図３に示すパーソナルコンピュータ７０にアップロードされてハードディスク装置７１３に記憶され、このパーソナルコンピュータ７０が第２の画像色表示装置として動作する実施形態を説明する。
【０１１８】
図９は、本発明の画像色表示プログラムのうちの第２の画像色表示プログラムの一実施形態を示した図である。
【０１１９】
この図９に示す第２の画像色表示プログラム６００は、図３に示すＣＤ−ＲＯＭ１１０に記憶されている。
【０１２０】
この第２の画像色表示プログラム６００は、図１，図２，図３に示すパーソナルコンピュータ７０内で実行され、そのパーソナルコンピュータ７０を、ユーザによって指定された画像上の位置における色を表示する、本発明の画像色表示装置のうちの第２の画像色表示装置の一実施形態として動作させるものである。この第２の画像色表示プログラム６００は、カラーパッチ表示部６０１と、カラーパッチ指定部６０２と、色グラフ表示部６０３と、対応図示部６０４とから構成されている。
【０１２１】
この第２の画像色表示プログラム６００の各要素の作用については後述する。
【０１２２】
図１０は、本発明の画像色表示装置のうちの第２の画像色表示装置の一実施形態を示す機能ブロック図である。
【０１２３】
この図１０に示す第２の画像色表示装置７００は、図１，図２，図３に示すパーソナルコンピュータ７０に、図９に示す第２の画像色表示プログラム６００がローディングされ、その第２の画像色表示プログラム６００がそのパーソナルコンピュータ７０内で実行されることにより実現される。
【０１２４】
この図１０に示す第２の画像色表示装置７００は、ユーザによって指定された画像上の位置における色を表示するものであって、この第２の画像色表示装置７００には、カラーパッチ表示部７０１と、カラーパッチ指定部７０２と、色グラフ表示部７０３と、対応図示部７０４とが備えられている。
【０１２５】
この第２の画像色表示装置７００に備えられているカラーパッチ表示部７０１、カラーパッチ指定部７０２、色グラフ表示部７０３、および対応図示部７０４の各要素は、それぞれ、図９に示す第２の画像色表示プログラム６００を構成するソフトウェア部品としてのカラーパッチ表示部６０１、カラーパッチ指定部６０２、色グラフ表示部６０３、および対応図示部６０４の各要素と、それらのソフトウェア部品の各機能を実現するために必要な、図１，図２，図３に示すパーソナルコンピュータ７０のハードウェアとＯＳ（Ｏｐｅｒａｔｉｏｎ  Ｓｙｓｔｅｍ）やアプリケーションプログラムとの組み合わせから構成されている。
【０１２６】
以下、図１０に示す第２の画像色表示装置７００の各要素を説明することによって、図９に示す第２の画像色表示プログラム６００の各要素も合わせて説明する。
【０１２７】
なお、ここでは、この第２の画像色表示装置７００の各要素の概念的な作用について説明し、これら各要素の具体的な作用については後述する。
【０１２８】
図１０に示す第２の画像色表示装置７００のカラーパッチ表示部７０１は、アプリケーションソフトウェア上は、図９に示す第２の画像色表示プログラム６００のカラーパッチ表示部６０１に対応する要素であり、画像データと画像とを媒介する所定のデバイスに依存したデバイス色空間における複数の座標点それぞれが表す色を有する複数のカラーパッチを表示するものである。このカラーパッチ表示部７０１は、本発明にいうカラーパッチ表示部の機能の一例を示すものであり、その機能は、図１，図２，図３に示すパーソナルコンピュータ７０の本体装置７１に内蔵された、プログラム部品としてのカラーパッチ表示部６０１（図９参照）を実行するＣＰＵ７１１によって主に実現される。
【０１２９】
尚、以下説明する、第２の画像色表示装置７００の各要素においても、各要素の機能は、図１，図２，図３に示すパーソナルコンピュータ７０の本体装置７１に内蔵されたＣＰＵ７１１によって主に実現されるので、重複説明を避けるため、これら各要素のハードウェア上の説明は省略する。
【０１３０】
また、カラーパッチ指定部７０２は、アプリケーションソフトウェア上は、図９に示す第２の画像色表示プログラム６００のカラーパッチ指定部６０２に対応する要素であり、カラーパッチ表示部７０１に表示された複数のカラーパッチのうちから複数のカラーパッチを操作に応じて指定するものである。このカラーパッチ指定部７０２は、本発明にいうカラーパッチ指定部の機能の一例を示すものである。
【０１３１】
また、色グラフ表示部７０３は、アプリケーションソフトウェア上は、図９に示す第２の画像色表示プログラム６００の色グラフ表示部６０３に対応する要素であり、カラーパッチ指定部７０２によって指定された複数のカラーパッチそれぞれの色を表した上記デバイス色空間における複数の座標点を結ぶ線上の各座標点が表す色を所定の色空間における座標のグラフで表示するものである。また、この色グラフ表示部７０３は、カラーパッチ指定部７０２によって指定された複数のカラーパッチそれぞれの色を表した上記デバイス色空間における複数の座標点を結ぶ線上の各座標点が表す色を、上記所定の色空間における座標のグラフで表示すると共に、それらの各座標点が表す色に、画像の色や階調の再現性などが求められている、図１に示す印刷およびプルーフ画像作成システムの色変換装置として機能するワークステーション２０あるいはパーソナルコンピュータ５０で実行される色変換が施されてなる色もそのグラフに表示することもできる。さらに、この色グラフ表示部７０３は、上記所定のデバイスによって再現可能な色範囲（ガマット）も上記グラフに表示するものである。この色グラフ表示部７０３は、本発明にいう色グラフ表示部の機能の一例を示すものである。
【０１３２】
さらに、対応図示部７０４は、アプリケーションソフトウェア上は、図９に示す第２の画像色表示プログラム６００の対応図示部６０４に対応する要素であり、上記各座標点が表す色と、その色に上記色変換が施されてなる色との対応を図示するものである。この対応図示部７０４は、本発明にいう対応図示部の機能の一例を示すものである。
【０１３３】
以下、本発明の画像色表示装置のうちの第２の画像色表示装置の実施形態をさらに具体的に説明する。
【０１３４】
尚、以下の、第２の画像色表示装置の実施形態の具体的な説明において、図１，図２，図３に示すパーソナルコンピュータ７０には、色や階調の再現性を調べようとしている複数のカラーパッチに対応するカラーパッチファイルや、後述する各種プロファイルおよび各種レンダリングインテントが、このパーソナルコンピュータ７０に接続されたパーソナルコンピュータ５０あるいはワークステーション２０から事前に取り込まれて保存されているものとする。
【０１３５】
図１１は、図１，図２，図３に示すパーソナルコンピュータ７０の画像表示装置７２の表示画面７２ａ上に表示される第１のカラーパッチ色表示ウィンドウを示す図である。
【０１３６】
図１，図２，図３に示すパーソナルコンピュータ７０のキーボード７３あるいはマウス７４により、図示しない、１つのカラーパッチファイルに対応する複数のカラーパッチにおける色や階調を調べるためのメニューを選択する操作を行うと、この図１１に示す第１のカラーパッチ色表示ウィンドウ８００がパーソナルコンピュータ７０の画像表示装置７２の表示画面７２ａ上に表示される。
【０１３７】
この第１のカラーパッチ色表示ウィンドウ８００の左下には、「プロファイル」ドロップダウンリストボックス８０１、「レンダリング」ドロップダウンリストボックス８０２、および「カラーパッチ」ドロップダウンリストボックス８０３が設けられている。
【０１３８】
「プロファイル」ドロップダウンリストボックス８０１の右端の「▽印」をクリックすると、図示しないプロファイルの一覧が表示される。ここで表示されるプロファイルの一覧は、図１，図２，図３に示すパーソナルコンピュータ７０に保存されているプロファイルの一覧であって、このプロファイルの一覧上で所望のプロファイルをクリックすることにより１つのプロファイルが選択される。この図１１に示す例では、図１に示すカラースキャナ１０に着目し、このカラースキャナ１０の「ＳｔａｎｄａｒｄＲＧＢ１．ｉｃｃ」という入力プロファイルが選択されている。
【０１３９】
「レンダリング」ドロップダウンリストボックス８０２の右端の「▽印」をクリックすると、図示しないレンダリングインテントの一覧が表示される。ここで表示されるレンダリングインテントの一覧は、図１，図２，図３に示すパーソナルコンピュータ７０に保存されているレンダリングインテントの一覧であって、このレンダリングインテントの一覧上で所望のレンダリングインテントをクリックすることにより１つのレンダリングインテントが選択される。この図１１に示す例では、「Ｐｅｒｃｅｐｔｕａｌ」が選択されている。
【０１４０】
「カラーパッチ」ドロップダウンリストボックス８０３の右端の「▽印」をクリックすると、図示しないカラーパッチファイルの一覧が表示される。ここで表示されるカラーパッチファイルの一覧は、図１，図２，図３に示すパーソナルコンピュータ７０に保存されているカラーパッチファイルの一覧であって、このカラーパッチファイルの一覧上で所望のカラーパッチファイルをクリックすることにより１つのカラーパッチファイルが選択される。この図１１に示す例では、図１に示すカラースキャナ１０に着目し、このカラースキャナ１０により入力された「Ｐａｔｃｈ１．ｊｐｇ」というカラーパッチファイルが選択されている。
【０１４１】
また、この第１のカラーパッチ色表示ウィンドウ８００の左上には、画像表示欄８１０が設けられている。この画像表示欄８１０には、上述した「カラーパッチ」ドロップダウンリストボックス８０３で選択されたカラーパッチファイルの中の、画像データと画像とを媒介する、本発明にいう所定のデバイスの一例に相当する図１に示すカラースキャナ１０に依存した、本発明にいうデバイス色空間の一例に相当するＲＧＢ色空間において規則的に並んだ座標点の中から、本発明にいう複数の座標点の一例に相当する２０個の代表的な座標点が抽出されることにより、抽出された２０個の座標点それぞれが表す色を有する２０個のカラーパッチが、図１０に示すカラーパッチ表示部７０１によって表示される。また、この画像表示欄８１０に表示された２０個のカラーパッチのうちから２個のカラーパッチをクリックすると、クリックされた２個のカラーパッチが、図１０に示すカラーパッチ指定部７０２によって指定される。また、この画像表示欄８１０において２個のカラーパッチがクリックされると、上述した「カラーパッチ」ドロップダウンリストボックス８０３で選択されたカラーパッチファイルが表す複数のカラーパッチそれぞれの色を表したＲＧＢ色空間座標のうち、クリックされた２個のカラーパッチそれぞれの色を表した２個の座標点を結ぶ線上の各座標点も指定される。この図１１に示す例では、２０個のカラーパッチのうちの左上のカラーパッチ８１１、および左から３番目、かつ上から２番目のカラーパッチ８１２がクリックされて指定されている。
【０１４２】
また、この第１のカラーパッチ色表示ウィンドウ８００の右上には、色グラフ表示欄８２０が設けられている。この色グラフ表示欄８２０には、上述した画像表示欄８１０において２個のカラーパッチ８１１，８１２がクリックされたことを受けて指定されたＲＧＢ色空間における線上の各座標点が表す色のグラフ８２１が、上述した「プロファイル」ドロップダウンリストボックス８０１で選択されたプロファイル、および「レンダリング」ドロップダウンリストボックス８０２で選択されたレンダリングインテントが参照されることによって、デバイスに非依存の、本発明にいう非依存色空間の一例に相当するＬ*ａ*ｂ*色空間における立体的なグラフで、図１０に示す色グラフ表示部７０３によって表示される。また、この色グラフ表示欄８２０には、画像データと画像とを媒介する、本発明にいう所定のデバイスの一例に相当する図１に示すカラースキャナ１０によって再現可能な色範囲（ガマット）８２２も表示される。また、この色グラフ表示欄８２０に表示されたグラフ上における任意の位置をドラッグすることによってそのグラフおよび色範囲（ガマット）８２２を回転することができ、そのグラフおよび色範囲（ガマット）８２２を様々な角度から表示することができる。
【０１４３】
さらに、この第１のカラーパッチ色表示ウィンドウ８００の右下には、色グラフ表示欄８３０が設けられている。この色グラフ表示欄８３０には、上述した画像表示欄８１０において２個のカラーパッチ８１１，８１２がクリックされたことを受けて指定されたＲＧＢ色空間における線上の各座標点が表す色が、画像データと画像とを媒介する、本発明にいう所定のデバイスの一例に相当する図１に示すカラースキャナ１０に依存した、本発明にいうデバイス色空間の一例に相当するＲＧＢ色空間における、「Ｒ」成分，「Ｇ」成分，「Ｂ」成分といった座標の成分が抜き出された平面的なグラフで、図１０に示す色グラフ表示部７０３によって表示される。
【０１４４】
以上説明したように、１つのカラーパッチファイルに対応する複数のカラーパッチにおける色や階調を調べるための第１のカラーパッチ色表示ウィンドウによれば、上記線上における色や階調を視覚的に捉えることができ、色や階調の把握が容易である。従って、ユーザにとって使い勝手が良く、色や階調の評価に好適な装置が実現される。
【０１４５】
図１２は、図１，図２，図３に示すパーソナルコンピュータ７０の画像表示装置７２の表示画面７２ａ上に表示される第２のカラーパッチ色表示ウィンドウを示す図である。
【０１４６】
図１，図２，図３に示すパーソナルコンピュータ７０のキーボード７３あるいはマウス７４により、図示しない、画像の色や階調の再現性などが求められている、図１に示す印刷およびプルーフ画像作成システムの色変換装置として機能するワークステーション２０で実行される色変換前後の２つのカラーパッチファイルに対応する複数のカラーパッチ間における色や階調の再現性を調べるためのメニューを選択するの操作を行うと、この図１２に示す第２のカラーパッチ色表示ウィンドウ９００がパーソナルコンピュータ７０の画像表示装置７２の表示画面７２ａ上に表示される。
【０１４７】
この第２のカラーパッチ色表示ウィンドウ９００の右下には、「入力プロファイル」ドロップダウンリストボックス９０１、「出力プロファイル」ドロップダウンリストボックス９０２、「レンダリング」ドロップダウンリストボックス９０３、および「色変換前カラーパッチ」ドロップダウンリストボックス９０４が設けられている。
【０１４８】
「入力プロファイル」ドロップダウンリストボックス９０１の右端の「▽印」をクリックすると、図示しない入力プロファイルの一覧が表示される。ここで表示される入力プロファイルの一覧は、図１，図２，図３に示すパーソナルコンピュータ７０に保存されている入力プロファイルの一覧であって、この入力プロファイルの一覧上で所望の入力プロファイルをクリックすることにより１つの入力プロファイルが選択される。この図１２に示す例では、着目した色変換で用いられた「ＳｔａｎｄａｒｄＲＧＢ１．ｉｃｃ」という入力プロファイルが選択されている。
【０１４９】
「出力プロファイル」ドロップダウンリストボックス９０２の右端の「▽印」をクリックすると、図示しない出力プロファイルの一覧が表示される。ここで表示される出力プロファイルの一覧は、図１，図２，図３に示すパーソナルコンピュータ７０に保存されている出力プロファイルの一覧であって、この出力プロファイルの一覧上で所望の出力プロファイルをクリックすることにより１つの出力プロファイルが選択される。この図１２に示す例では、着目した色変換で用いられた「ＳｔａｎｄａｒｄＣＭＹＫ１．ｉｃｃ」という出力プロファイルが選択されている。
【０１５０】
「レンダリング」ドロップダウンリストボックス９０３の右端の「▽印」をクリックすると、図示しないレンダリングインテントの一覧が表示される。ここで表示されるレンダリングインテントの一覧は、図１，図２，図３に示すパーソナルコンピュータ７０に保存されているレンダリングインテントの一覧であって、このレンダリングインテントの一覧上で所望のレンダリングインテントをクリックすることにより１つのレンダリングインテントが選択される。この図１２に示す例では、着目した色変換で用いられた「Ｐｅｒｃｅｐｔｕａｌ」というレンダリングインテントが選択されている。
【０１５１】
「色変換前カラーパッチ」ドロップダウンリストボックス９０４の右端の「▽印」をクリックすると、図示しない色変換前カラーパッチファイルの一覧が表示される。ここで表示される色変換前カラーパッチファイルの一覧は、図１，図２，図３に示すパーソナルコンピュータ７０に保存されている色変換前カラーパッチファイルの一覧であって、この色変換前カラーパッチファイルの一覧上で所望の色変換前カラーパッチファイルをクリックすることにより１つの色変換前カラーパッチファイルが選択される。ここで、図１，図２，図３に示すパーソナルコンピュータ７０に保存されている色変換前カラーパッチファイルに対しては、図１に示すワークステーション２０で実行される色変換が事前に施されており、この色変換が施されてなる色変換後カラーパッチファイルも対の状態で、このパーソナルコンピュータ７０に保存されている。ここでは、この「色変換前カラーパッチ」ドロップダウンリストボックス９０４で色変換前カラーパッチファイルが選択されたことを受けて、選択された色変換前カラーパッチファイルと対の状態で保存された色変換後カラーパッチファイルも自動的に選択される。この図１２に示す例では、着目した色変換の対象となった「Ｐａｔｃｈ１．ｊｐｇ」という色変換前カラーパッチファイルが選択されている。また、図示しない、「Ｐａｔｃｈ１．ｊｐｇ」と対の状態で保存された「Ｐａｔｃｈ２．ｊｐｇ」という色変換後カラーパッチファイルも自動的に選択されている。
【０１５２】
また、この第２のカラーパッチ色表示ウィンドウ９００の左上には、色変換前画像表示欄９１０が設けられている。この色変換前画像表示欄９１０には、上述した「色変換前カラーパッチ」ドロップダウンリストボックス９０４で選択された色変換前カラーパッチファイルの中の、画像データと画像とを媒介する、本発明にいう所定のデバイスの一例に相当する図１に示すカラースキャナ１０に依存した、本発明にいうデバイス色空間の一例に相当するＲＧＢ色空間において規則的に並んだ座標点の中から、本発明にいう複数の座標点の一例に相当する２０個の代表的な座標点が抽出されることにより、抽出された２０個の座標点それぞれが表す色を有する、色変換前の２０個のカラーパッチが、図１０に示すカラーパッチ表示部７０１によって表示される。また、この色変換前画像表示欄９１０に表示された色変換前の２０個のカラーパッチのうちから２個のカラーパッチをクリックすると、クリックされた２個のカラーパッチが、図１０に示すカラーパッチ指定部７０２によって指定される。また、この色変換前画像表示欄９１０において２個のカラーパッチがクリックされると、上述した「色変換前カラーパッチ」ドロップダウンリストボックス９０４で選択された色変換前カラーパッチファイルが表す複数のカラーパッチそれぞれの色を表したＲＧＢ色空間座標のうち、クリックされた２個のカラーパッチそれぞれの色を表した２個の座標点を結ぶ線上の各座標点も指定される。この図１２に示す例では、色変換前の２０個のカラーパッチのうちの左上のカラーパッチ９１１、および左から３番目、かつ上から２番目のカラーパッチ９１２がクリックされて指定されている。
【０１５３】
また、色変換前画像表示欄９１０の下には、色変換後画像表示欄９２０が設けられている。この色変換後画像表示欄９２０には、上述した「色変換前カラーパッチ」ドロップダウンリストボックス９０４で色変換前カラーパッチファイルが選択されたことを受けて自動的に選択された色変換後カラーパッチファイルの中の、上述した色変換前画像表示欄９１０に表示された色変換前の２０個のカラーパッチそれぞれの色に色変換が施されてなる色を有する、色変換後の２０個のカラーパッチが、図１０に示すカラーパッチ表示部７０１によって表示される。また、上述した色変換前画像表示欄９１０に表示された色変換前の２０個のカラーパッチにおいて２個のカラーパッチ９１１，９１２がクリックされたことを受けて、この色変換後画像表示欄９２０に表示された色変換後の２０個のカラーパッチにおける、それら２個のカラーパッチ９１１，９１２それぞれに対して色変換が施されてなる２個のカラーパッチ９２１，９２２が、図１０に示すカラーパッチ指定部７０２によって指定される。また、上述した色変換前画像表示欄９１０に表示された色変換前の２０個のカラーパッチにおいて２個のカラーパッチがクリックされたことを受けて指定されたＲＧＢ色空間における線上の各座標点が表す色に色変換が施されてなる色を表した各座標点も指定される。この図１２に示す例では、色変換後の２０個のカラーパッチのうちの左上のカラーパッチ９２１が、色変換前の２０個のカラーパッチのうちの左上のカラーパッチ９１１に対して色変換が施されてなるカラーパッチとして指定され、左から３番目、かつ上から２番目のカラーパッチ９２２が、色変換前の２０個のカラーパッチのうちの左から３番目、かつ上から２番目のカラーパッチ９１１に対して色変換が施されてなるカラーパッチとして指定されている。
【０１５４】
また、この第２のカラーパッチ色表示ウィンドウ９００の右上には、色グラフ表示欄９３０が設けられている。この色グラフ表示欄９３０には、上述した色変換前画像表示欄９１０において２個のカラーパッチ９１１，９１２がクリックされたことを受けて指定されたＲＧＢ色空間における線上の各座標点が表す色のグラフ９３１が、上述した「入力プロファイル」ドロップダウンリストボックス９０１で選択された入力プロファイル、および「レンダリング」ドロップダウンリストボックス９０３で選択されたレンダリングインテントが参照されることによって、デバイスに非依存の、本発明にいう非依存色空間の一例に相当するＬ*ａ*ｂ*色空間における立体的なグラフで、図１０に示す色グラフ表示部７０３によって表示される。また、この色グラフ表示欄９３０には、上述した色変換前画像表示欄９１０において２個のカラーパッチ９１１，９１２がクリックされたことを受けて指定されたＲＧＢ色空間における線上の各座標点が表す色に色変換が施されてなる色を表すグラフ９３２も表示される。また、この色グラフ表示欄９３０には、画像データと画像とを媒介する、本発明にいう所定のデバイスの一例に相当する図１に示すフィルムプリンタ３０によって再現可能な色範囲（ガマット）９３３、および、本発明にいう所定のデバイスの一例に相当する図１に示すプリンタ６０によって再現可能な色範囲（ガマット）９３４も表示される。また、この色グラフ表示欄９３０に表示されたグラフ上における任意の位置をドラッグすることによってそのグラフおよび色範囲（ガマット）９３３，９３４を回転することができ、そのグラフおよび色範囲（ガマット）９３３，９３４を様々な角度から表示することができる。
【０１５５】
また、色グラフ表示欄９３０の下には、色グラフ表示欄９４０が設けられている。この色グラフ表示欄９４０には、上述した色変換前画像表示欄９１０において２個のカラーパッチ９１１，９１２がクリックされたことを受けて指定されたＲＧＢ色空間における線上の各座標点が表す色が、画像データと画像とを媒介する、本発明にいう所定のデバイスの一例に相当する図１に示すカラースキャナ１０に依存した、本発明にいうデバイス色空間の一例に相当するＲＧＢ色空間における、「Ｒ」成分，「Ｇ」成分，「Ｂ」成分といった座標の成分が抜き出された平面的なグラフで、図１０に示す色グラフ表示部７０３によって表示される。また、この色グラフ表示欄９４０には、上述した色変換前画像表示欄９１０において２個のカラーパッチ９１１，９１２がクリックされたことを受けて指定されたＲＧＢ色空間における線上の各座標点が表す色に色変換が施されてなる色を表すグラフも表示される。また、この色グラフ表示欄９４０の右には、択一選択が可能なラジオボタン９４１が設けられている。このラジオボタン９４１において、マウス操作により、「すべて」，「Ｒ」，「Ｇ」，「Ｂ」のいずれかの座標の成分を選択する。この図１２に示す例では、ラジオボタン９４１において「Ｒ」成分が選択されており、ＲＧＢ色空間における「Ｒ」成分が抜き出された平面的なグラフで色グラフ表示欄９４０に示されている。
【０１５６】
さらに、この第２のカラーパッチ色表示ウィンドウ９００の左下には、「対応図示」ボタン９０５、「色変換表示」ボタン９０６、および「デバイス値入力」ボタン９０７が設けられている。
【０１５７】
「対応図示」ボタン９０５をクリックすると、図１０に示す対応図示部７０４によって、後述する対応図示ウィンドウ９５０（図１３参照）が表示される。
【０１５８】
「色変換表示」ボタン９０６をクリックすると、後述する色変換表示ウィンドウ９６０（図１４参照）が表示される。
【０１５９】
「デバイス値入力」ボタン９０７をクリックすると、後述するデバイス値入力ウィンドウ９７０（図１５参照）が表示される。
【０１６０】
図１３は、図１，図２，図３に示すパーソナルコンピュータ７０の画像表示装置７２の表示画面７２ａ上に表示される対応図示ウィンドウの一例を示す図である。
【０１６１】
この図１３に示す対応図示ウィンドウ９５０は、図１２に示す「対応図示」ボタン９０５をクリックすると表示される。
【０１６２】
この対応図示ウィンドウ９５０には、図１２に示す第２のカラーパッチ色表示ウィンドウ９００の右上に設けられた色グラフ表示欄９３０に重ねて表示された、上述した色範囲（ガマット）９３３，９３４が表示されると共に、上述した色変換前画像表示欄９１０において２個のカラーパッチ９１１，９１２がクリックされたことを受けて指定されたＲＧＢ色空間における線上の各座標点が表す色と、この線上の各座標点が表す色に色変換が施されてなる色との対応が、上述した「入力プロファイル」ドロップダウンリストボックス９０１で選択された入力プロファイル、「出力プロファイル」ドロップダウンリストボックス９０２で選択された出力プロファイル、および「レンダリング」ドロップダウンリストボックス９０３で選択されたレンダリングインテントが参照されることによって、デバイスに非依存のＬ*ａ*ｂ*色空間における立体的なグラフで図示される。この図１３に示す例では、上述したグラフ９３１とグラフ９３２との対応が、対応関係を表す矢印９５１によって図示されている。
【０１６３】
図１４は、図１，図２，図３に示すパーソナルコンピュータ７０の画像表示装置７２の表示画面７２ａ上に表示される色変換表示ウィンドウの一例を示す図である。
【０１６４】
この図１４に示す色変換表示ウィンドウ９６０は、図１２に示す「色変換表示」ボタン９０６をクリックすると表示される。
【０１６５】
この色変換表示ウィンドウ９６０には、上述した色範囲（ガマット）９３３，９３４が表示されると共に、上述した「色変換前カラーパッチ」ドロップダウンリストボックス９０４で選択された色変換前カラーパッチファイルの中の、画像データと画像とを媒介する、本発明にいう所定のデバイスの一例に相当する図１に示すカラースキャナ１０に依存した、本発明にいうデバイス色空間の一例に相当するＲＧＢ色空間において規則的に並んだ座標点の中から抽出された、色範囲（ガマット）９３３の境界部分近傍の複数の座標点９６１それぞれと、上述した「色変換前カラーパッチ」ドロップダウンリストボックス９０４で色変換前カラーパッチファイルが選択されたことを受けて自動的に選択された色変換後カラーパッチファイルの中の、上記複数の座標点９６１それぞれが表す色に色変換が施されてなる色を表す複数の座標点９６２それぞれとの対応が、上述した「入力プロファイル」ドロップダウンリストボックス９０１で選択された入力プロファイル、「出力プロファイル」ドロップダウンリストボックス９０２で選択された出力プロファイル、および「レンダリング」ドロップダウンリストボックス９０３で選択されたレンダリングインテントが参照されることによって、デバイスに非依存のＬ*ａ*ｂ*色空間における立体的なグラフで図示される。この図１４に示す例では、色範囲（ガマット）９３３，９３４が表示されると共に、複数の座標点９６１それぞれと、複数の座標点９６２それぞれとの対応が矢印９６３によって図示されている。
【０１６６】
このような色変換表示ウィンドウによれば、色変換前後の各座標点の対応を視覚的に把握することができる。
【０１６７】
図１５は、図１，図２，図３に示すパーソナルコンピュータ７０の画像表示装置７２の表示画面７２ａ上に表示されるデバイス値入力ウィンドウの一例を示す図である。
【０１６８】
この図１５に示すデバイス値入力ウィンドウ９７０は、図１２に示す「デバイス値入力」ボタン９０７をクリックすると表示される。
【０１６９】
このデバイス値入力ウィンドウ９７０は、所望のデバイス値を入力することによって座標点を指定するものであって、デバイス値の入力を受けると、図１３示す対応図示ウィンドウ９５０が表示される。この図１５に示す例では、デバイス値（Ｒ，Ｇ，Ｂ）として、グリーンを表す（０，２５５，０）、およびイエローを表す（２５５，２５５，０）が入力されており、その入力を受けて、図１３示す対応図示ウィンドウ９５０が表示される。この場合には、対応図示ウィンドウ９５０には、図１５に示すデバイス値入力ウィンドウ９７０で入力されたデバイス値が表す座標点と、その座標点が表す色に色変換が施されてなる色を表した座標点との対応が、Ｌ*ａ*ｂ*色空間上の矢印で図示される。
【０１７０】
このようなデバイス値入力ウィンドウによれば、所望の個々の座標点について、色変換前後の対応を視覚的に把握することができる。
【０１７１】
以上説明したように、色変換前後の２つのカラーパッチファイルに対応する複数のカラーパッチ間における色や階調の再現性を調べるための第２のカラーパッチ色表示ウィンドウによれば、色変換処理が施されることによる色や階調の変化を対応付けて視覚的に把握することができる。
【０１７２】
尚、本実施形態の説明では、第１および第２の画像色表示プログラムが１つのＣＤ−ＲＯＭに記憶された例を挙げたが、この第１および第２の画像色表示プログラムはそれぞれが異なる記憶媒体に記憶されていてもよい。
【０１７３】
また、本実施形態の説明では、本発明にいう画像色表示装置の一例に相当するパーソナルコンピュータ７０がワークステーション２０およびパーソナルコンピュータ５０と接続されて画像データやプロファイルの入出力が行われる例を挙げたが、本発明にいう画像色表示装置における画像データやプロファイルの入出力は、例えば記憶媒体を介する手段や無線通信による手段などであってもよい。
【０１７４】
また、本実施形態の説明では、１つの画像における色や階調を調べるための機能と、２つの画像間における色や階調の再現性を調べるための機能とを有する画像色表示装置の例を挙げたが、本発明にいう画像色表示装置は、各機能を個別に実現するものであってもよい。
【０１７５】
また、本実施形態の説明では、本発明にいう非依存色空間の例としてＬ*ａ*ｂ*色空間を挙げたが、本発明にいう非依存色空間は、例えばＸＹＺ色空間などであってもよい。
【０１７６】
また、本実施形態の説明では、本発明にいうデバイス色空間の例としてＲＧＢ色空間を挙げたが、本発明にいうデバイス色空間は、例えばＣＭＹＫ色空間などであってもよい。
【０１７７】
また、本実施形態の説明では、本発明にいう第２の画像の例として、本発明にいう第１の画像に対して所定の色変換が施されてなる画像の例を示したが、本発明にいう第２の画像は、任意に選択された画像であってもよい。
【０１７８】
また、本実施形態の説明では、本発明にいう画像表示部の例として、２つの画像を並べて表示する例を示したが、本発明にいう画像表示部は、３つ以上の画像を並べて表示するものであってもよい。
【０１７９】
また、本実施形態の説明では、本発明にいう位置指定部の例として、２つの位置を指定する例を示したが、本発明にいう位置指定部は、３つ以上の位置を指定するものであってもよい。
【０１８０】
また、本実施形態の説明では、本発明にいうカラーパッチ指定部の例として、２つのカラーパッチを指定する例を示したが、本発明にいうカラーパッチ指定部は、３つ以上のカラーパッチを指定するものであってもよい。
【図面の簡単な説明】
【０１８１】
【図１】本発明の一実施形態が適用された印刷およびプルーフ画像作成システムの全体構成図である。
【図２】図１に１つのブロックで示すパーソナルコンピュータ７０の外観斜視図である。
【図３】図１に１つのブロックで示すパーソナルコンピュータ７０のハードウェア構成図である。
【図４】本発明の画像色表示プログラムのうちの第１の画像色表示プログラムの一実施形態を示した図である。
【図５】本発明の画像色表示装置のうちの第１の画像色表示装置の一実施形態を示す機能ブロック図である。
【図６】図１，図２，図３に示すパーソナルコンピュータ７０の画像表示装置７２の表示画面７２ａ上に表示される第１の画像色表示ウィンドウを示す図である。
【図７】図１，図２，図３に示すパーソナルコンピュータ７０の画像表示装置７２の表示画面７２ａ上に表示される第２の画像色表示ウィンドウを示す図である。
【図８】図１，図２，図３に示すパーソナルコンピュータ７０の画像表示装置７２の表示画面７２ａ上に表示される対応図示ウィンドウの一例を示す図である。
【図９】本発明の画像色表示プログラムのうちの第２の画像色表示プログラムの一実施形態を示した図である。
【図１０】本発明の画像色表示装置のうちの第２の画像色表示装置の一実施形態を示す機能ブロック図である。
【図１１】図１，図２，図３に示すパーソナルコンピュータ７０の画像表示装置７２の表示画面７２ａ上に表示される第１のカラーパッチ色表示ウィンドウを示す図である。
【図１２】図１，図２，図３に示すパーソナルコンピュータ７０の画像表示装置７２の表示画面７２ａ上に表示される第２のカラーパッチ色表示ウィンドウを示す図である。
【図１３】図１，図２，図３に示すパーソナルコンピュータ７０の画像表示装置７２の表示画面７２ａ上に表示される対応図示ウィンドウの一例を示す図である。
【図１４】図１，図２，図３に示すパーソナルコンピュータ７０の画像表示装置７２の表示画面７２ａ上に表示される色変換表示ウィンドウの一例を示す図である。
【図１５】図１，図２，図３に示すパーソナルコンピュータ７０の画像表示装置７２の表示画面７２ａ上に表示されるデバイス値入力ウィンドウの一例を示す図である。
【符号の説明】
【０１８２】
１０    カラースキャナ
１１    原稿画像
２０    ワークステーション
３０    フィルムプリンタ
４０    印刷機
４１    印刷画像
５０，７０    パーソナルコンピュータ
６０    プリンタ
６１    プルーフ画像
７１    本体装置
７１ａ    ＦＤ装填口
７１ｂ    ＣＤ−ＲＯＭ装填口
７１１    ＣＰＵ
７１２    主メモリ
７１３    ハードディスク装置
７１４    ＦＤドライブ
７１５    ＣＤ−ＲＯＭドライブ
７１６    Ｉ／Ｏインタフェース
７２    画像表示装置
７２ａ    表示画面
７３    キーボード
７４    マウス
７５    バス
１００    ＦＤ
１１０    ＣＤ−ＲＯＭ
２００    第１の画像色表示プログラム
２０１    画像表示部
２０２    位置指定部
２０３    色グラフ表示部
２０４    対応図示部
３００    第１の画像色表示装置
３０１    画像表示部
３０２    位置指定部
３０３    色グラフ表示部
３０４    対応図示部
４００    第１の画像色表示ウィンドウ
４０１，８０１    「プロファイル」ドロップダウンリストボックス
４０２，５０３，８０２，９０３    「レンダリング」ドロップダウンリストボックス
４０３    「画像」ドロップダウンリストボックス
４１０，８１０    画像表示欄
４１１，４１２，５１１，５１２，５２１，５２２    位置
４１３，５１３，５２３    線
４１４，５１４，５２４    ボタン
４２０，４３０，５３０，５４０，８２０，８３０，９３０，９４０    色グラフ表示欄
４２１，５３１，５３２，８２１，９３１，９３２    グラフ
４２２，５３３，５３４，８２２，９３３，９３４    色範囲（ガマット）
５００    第２の画像色表示ウィンドウ
５０１，９０１    「入力プロファイル」ドロップダウンリストボックス
５０２，９０２    「出力プロファイル」ドロップダウンリストボックス
５０４    「色変換前画像」ドロップダウンリストボックス
５０５    「色変換後画像」ドロップダウンリストボックス
５０６，９０５    「対応図示」ボタン
５０７    「連動表示」チェックボックス
５１０，９１０    色変換前画像表示欄
５２０，９２０    色変換後画像表示欄
５４１，９４１    ラジオボタン
５５０，９５０    対応図示ウィンドウ
５５１，９５１，９６３    矢印
６００    第２の画像色表示プログラム
６０１    カラーパッチ表示部
６０２    カラーパッチ指定部
６０３    色グラフ表示部
６０４    対応図示部
７００    第２の画像色表示装置
７０１    カラーパッチ表示部
７０２    カラーパッチ指定部
７０３    色グラフ表示部
７０４    対応図示部
８００    第１のカラーパッチ色表示ウィンドウ
８０３    「カラーパッチ」ドロップダウンリストボックス
８１１，８１２，９１１，９１２，９２１，９２２    カラーパッチ
９００    第２のカラーパッチ色表示ウィンドウ
９０４    「色変換前カラーパッチ」ドロップダウンリストボックス
９０６    「色変換表示」ボタン
９０７    「デバイス値入力」ボタン
９６０    色変換表示ウィンドウ
９７０    デバイス値入力ウィンドウ
９６１，９６２    座標点
【図１】
2006030409.tif 000003
【図２】
2006030409.tif 000004
【図３】
2006030409.tif 000005
【図４】
2006030409.tif 000006
【図５】
2006030409.tif 000007
【図６】
2006030409.tif 000008
【図７】
2006030409.tif 000009
【図８】
2006030409.tif 000010
【図９】
2006030409.tif 000011
【図１０】
2006030409.tif 000012
【図１１】
2006030409.tif 000013
【図１２】
2006030409.tif 000014
【図１３】
2006030409.tif 000015
【図１４】
2006030409.tif 000016
【図１５】
2006030409.tif 000017